(57)【要約】      （修正有）【課題】人体に対する当りが柔らかで均一性のある押力を付与することができ、また構造簡単で安価に製作できる押圧健康器具を提供する。【解決手段】中間部１６が２つの楕円体１８を各長軸を一致させて直列配置した二瘤形状とされ、長軸方向の両端に軸部２０を有する二瘤ローラ１２と、二瘤ローラ１２の各軸部２０を回転自在に支承する、少なくとも一対の軸受部を有する支持体とを備えている。二瘤ローラ１２の外面の楕円面は、指圧する状態の２つの親指腹部の曲面に準じた形状をなしており、球面と比べて人体に対する当りが柔らかで、均一性のある押力を付与するので、マッサージ効果が良好である。また、構造が簡単で安価に製作できる。【選択図】図１
0003133819.tif 000002
【実用新案登録請求の範囲】
【請求項１】
中間部が２つの楕円体を各長軸を一致させて直列配置した二瘤形状とされ、長軸方向の両端に軸部を有する二瘤ローラと、
前記二瘤ローラの各軸部を回転自在に支承する、少なくとも一対の軸受部を有する支持体とを備えたことを特徴とする押圧健康器具。
【請求項２】
請求項１に記載の押圧健康器具において、
前記二瘤ローラは、その中間部と軸部とがプラスチックにより一体成型されてなるものであることを特徴とする押圧健康器具。
【請求項３】
請求項１又は２に記載の押圧健康器具において、
前記支持体は、前記二瘤ローラを支持した状態で収容できる空洞と、前記２つの楕円体の最大外径部分及びその近傍部分を突出できる上面開口とを有する包覆体からなるものであることを特徴とする押圧健康器具。
【請求項４】
請求項１又は２に記載の押圧健康器具において、
前記支持体は、前記二瘤ローラの各軸部を回転自在に支承する一対の側部材と、これらの側部材を連結すると共に底面を構成する連結部材とを有するものであることを特徴とする押圧健康器具。
【請求項５】
請求項３又は４に記載の押圧健康器具において、
前記支持体の底面を、前記二瘤ローラの軸心と直交する方向を含む面で湾曲する曲面としたことを特徴とする押圧健康器具。
【請求項６】
請求項３又は４に記載の押圧健康器具において、
前記支持体の底面を、前記二瘤ローラの軸心方向を含む面で弓形に反る曲面としたことを特徴とする押圧健康器具。
【請求項７】
請求項３に記載の押圧健康器具において、
前記支持体の外面を、全体的に角部のない、滑らかな曲面としたことを特徴とする押圧健康器具。
【請求項８】
請求項１〜７のいずれかに記載の押圧健康器具において、
前記二瘤ローラの複数本を前記支持体に並列配置したことを特徴とする押圧健康器具。
【請求項９】
請求項８に記載の押圧健康器具において、
並列配置された、３本以上の二瘤ローラを、二瘤ローラの側方からみて山なりに配置したことを特徴とする押圧健康器具。
【請求項１０】
請求項１ないし９のいずれかに記載の押圧健康器具において、
前記二瘤ローラの中央くびれ部分を前記支持体に設けられた隆起部により摺動自在に支承するようにしたことを特徴とする押圧健康器具。
【考案の詳細な説明】
【技術分野】
【０００１】
本考案は、回転自在なローラ体を人体の患部に押し当てるように手動操作でマッサージするための押圧健康器具に関する。
【背景技術】
【０００２】
手動操作でマッサージする押圧健康器具として、従来から数多くのものが案出されている。例えば、次のようなものが知られている。すなわち、球体面の全表面に先が尖った多数の小突起を突設した弾性体からなる２つの球体と、この２つの球体を串刺し状で且つ回転可能に支持するように軸心部に遊貫挿された１本の軸棒とよりなり、この軸棒の両端を球体の左右側端部より突出するように延設して該部をハンドル部となしてなる押圧健康器具がある（特許文献１参照）。この押圧健康器具は、左右に突出するハンドル部を両手で握って中央部の２つの球体を膝やスネ、首筋等に当てがい、前後に押し引きする操作を繰り返えすものである。
【０００３】
あるいは、中心軸に直角な断面がすべて円形で該円形の最大径付近の周縁部の軸方向の幅が小さく軸心に貫通孔を設けた多数の、そろばん玉のような押圧刺激付与体を有し、押圧刺激付与体を支持する複数の支持棒を平行に配置して対向する支持板の間に取付け、複数の支持棒のそれぞれに押圧刺激付与体の複数個ずつを前記貫通孔に通して回転自在に支持し、分散された多数の押圧刺激付与体により使用者の立ち姿勢の体重の殆どを支持して押圧刺激を足の裏に与えるよう構成した押圧健康器具がある（特許文献２参照）。この押圧健康器具は、利用者がその上に立って体重を掛けながら足を動かすものである。
【特許文献１】特開平７−３０８３６０号公報
【特許文献２】特開平９−７５４１５号公報
【考案の開示】
【考案が解決しようとする課題】
【０００４】
しかしながら、上記従来のものは次の課題がある。すなわち、人体に当たる部分が尖っていたり細ものに構成され、人体を局部的に強く押圧するので、刺激が強すぎたり痛みを感じることが多い。また、構成が複雑なので、組立て製作に時間がかかりコスト高となる。
本考案は以上の点に着目してなされたもので、人体に対する当りが柔らかで均一性のある押力を付与することができ、また構造簡単で安価に製作できる押圧健康器具を提供することを目的とする。
【課題を解決するための手段】
【０００５】
以下の構成はそれぞれ上記の課題を解決するための手段である。
〈構成１〉
中間部が２つの楕円体を各長軸を一致させて直列配置した二瘤形状とされ、長軸方向の両端に軸部を有する二瘤ローラと、上記二瘤ローラの各軸部を回転自在に支承する、少なくとも一対の軸受部を有する支持体とを備えたことを特徴とする押圧健康器具。
【０００６】
二瘤ローラの外面の楕円面は、球面と比べて人体に対する当りが柔らかで、均一性のある押力を付与するので、マッサージ効果が良好である。また、構造が簡単で安価に製作できる。
【０００７】
〈構成２〉
構成１に記載の押圧健康器具において、上記二瘤ローラは、その中間部と軸部とがプラスチックにより一体成型されてなるものであることを特徴とする押圧健康器具。
【０００８】
プラスチックの一体成型により量産可能であるから低コストで製作できる。また人体に対する当りが柔らかく耐久性もよい。
【０００９】
〈構成３〉
構成１又は２に記載の押圧健康器具において、上記支持体は、上記二瘤ローラを支持した状態で収容できる空洞と、上記２つの楕円体の最大外径部分及びその近傍部分を突出できる上面開口とを有する包覆体からなるものであることを特徴とする押圧健康器具。
【００１０】
回転する二瘤ローラの大部分が支持体に覆われているので、安全性が高い。また、上面開口はなるべく最小限の大きさとするために、正面から見たときに二瘤ローラの突出した部分の外形に沿う形状とされてもよい。
【００１１】
〈構成４〉
構成１又は２に記載の押圧健康器具において、上記支持体は、上記二瘤ローラの各軸部を回転自在に支承する一対の側部材と、これらの側部材を連結すると共に底面を構成する連結部材とを有するものであることを特徴とする押圧健康器具。
【００１２】
二瘤ローラの大部分が露出した、シンプルな構成であり、安価に製作できる。
【００１３】
〈構成５〉
構成３又は４に記載の押圧健康器具において、上記支持体の底面を、上記二瘤ローラの軸心と直交する方向を含む面で湾曲する曲面としたことを特徴とする押圧健康器具。
【００１４】
支持体の底面を二瘤ローラの軸心と直交する方向を含む面で湾曲する曲面としたことにより、使用時に支持体が二瘤ローラの回転方向にロッキングしてマッサージ効果を高め得る。
【００１５】
〈構成６〉
構成３又は４に記載の押圧健康器具において、上記支持体の底面を、上記二瘤ローラの軸心方向を含む面で弓形に反る曲面としたことを特徴とする押圧健康器具。
【００１６】
使用時に支持体が中間部を中心として自在にロッキングするので、人体の複雑な動きに対しても多方向から対応できる。マッサージ効果をより一層高める。
【００１７】
〈構成７〉
構成３に記載の押圧健康器具において、上記支持体の外面を、全体的に角部のない、滑らかな曲面としたことを特徴とする押圧健康器具。
【００１８】
人体を擦っても損傷させるおそれがなく、手に持った感触も良好である。
【００１９】
〈構成８〉
構成１〜７のいずれかに記載の押圧健康器具において、上記二瘤ローラの複数本を上記支持体に並列配置したことを特徴とする押圧健康器具。
【００２０】
人体に対する接触面積を増大しマッサージ効率がよくなる。
【００２１】
〈構成９〉
構成８に記載の押圧健康器具において、並列配置された、３本以上の二瘤ローラを、二瘤ローラの側方からみて山なりに配置したことを特徴とする押圧健康器具。
【００２２】
側方から見たとき３本以上の二瘤ローラが山なりに配置されているので、人体の湾曲面に対して自然に当接する。
【００２３】
〈構成１０〉
構成１ないし９のいずれかに記載の押圧健康器具において、上記二瘤ローラの中央くびれ部分を上記支持体に設けられた隆起部により摺動自在に支承するようにしたことを特徴とする押圧健康器具。
【考案を実施するための最良の形態】
【００２４】
以下、本考案の実施の形態を実施例毎に詳細に説明する。
【実施例１】
【００２５】
図１は実施例１の押圧健康器具１０Ａを示す正面図、図２は図１のＡＡ線に沿う横断面図、図３は押圧健康器具１０Ａの側面図である。
図１〜３に示すように、押圧健康器具１０Ａは、２本の二瘤ローラ１２と、これらの二瘤ローラ１２を並列に収容し回転自在に支承する支持体１４Ａとを備えている。
【００２６】
二瘤ローラ１２は、中間部１６が２つの楕円体１８を各長軸を一致させて直列配置した二瘤形状とされ、長軸方向の両端に軸部２０を有している。ここで、楕円体とは、長軸に沿う平面で切った切り口がつねに楕円になる楕円面によって囲まれている、卵型の立体をいう。二瘤ローラ１２の外面の楕円面は、指圧状態で直列に並べた２つの人体親指の腹部曲面に準じた形状をなしている。二瘤ローラ１２の中間部１６と軸部２０とはジュラコン、アセタール樹脂、ＡＢＳ樹脂等のプラスチックにより一体成型されている。
【００２７】
支持体１４Ａは、２本の二瘤ローラ１２を回転自在に支持した状態で収容できる空洞２６とその上面に設けられた開口２８とを有する包覆体２４からなるものである。包覆体２４の空洞２６には二瘤ローラ１２の各軸部２０を回転自在に支承する２対の軸受部２２が設けられている。開口２８は、平面から見たときに矩形の形状とされている。開口２８の大きさは、図１あるいは図３に示すように、２本の二瘤ローラ１２の各２つの楕円体１８の最大外径部分３０及びその近傍部分のみを突出できる大きさでよい。
【００２８】
図示しないが、開口２８は、なるべく最小限の大きさとするために、二瘤ローラ１２の２つの楕円体１８に接触しない程度に近接した形状、すなわち、平面から見たときに、２つの楕円体１８の外形に沿う、ほぼ瓢箪形の形状とされてもよい。回転する二瘤ローラ１２の大部分が支持体１４Ａに覆われているので、安全性が高い。
【００２９】
支持体１４Ａは、その底面３６が図１に示すように、二瘤ローラ１２の軸心方向を含む面で弓形に反る曲面とされており、矢印４８の方向にロッキングできる。また、支持体１４Ａは、その底面３６が図３に示すように、二瘤ローラ１２の軸心と直交する方向を含む面で湾曲する曲面とされており、矢印５０の方向にロッキングできる。支持体１４Ａの外面は、全体的に角部のない、滑らかな曲面をなしている。ここで、底面３６とは、床面等の水平面４６（図４）に接する面である。
【００３０】
また、二瘤ローラ１２の良好な回転を維持したり、あるいは屈曲を防止するために、図１及び図２に示すように、二瘤ローラ１２の中央くびれ部分３８を、支持体１４Ａに設けられた隆起部４０により摺動自在に支承するようにしてもよい。隆起部４０の先端面、すなわち、二瘤ローラ１２の中央くびれ部分３８に当接する面は、中央くびれ部分３８の曲面に合う凹面に形成されている。
【００３１】
図４は押圧健康器具１０Ａの使用状態を示す説明図で、（ａ）は押圧健康器具１０Ａを仰向け状態の人体４２の首部４２Ａに当ててマッサージしている状態、（ｂ）は押圧健康器具１０Ａを同状態の人体４２の背中４２Ｂに当ててマッサージしている状態をそれぞれ示している。
【００３２】
使用時に人体を前後左右に揺することにより、支持体１４Ａが二瘤ローラ１２の回転方向にロッキングしてマッサージ効果を高め得る。また、支持体１４Ａが中間部１６を中心として自在にロッキングする。このため、人体４２の複雑な動きに対しても多方向から対応できる。支持体１４Ａの外面は、全体的に角部のない、滑らかな曲面をなしていることが人体４２を擦っても損傷させるおそれがなく手に持った感触も良好であるので好ましい。
【実施例２】
【００３３】
図５は実施例２の押圧健康器具１０Ｂを示す正面図である。図１に示した部分と共通する部分には同一符号を付して重複説明を省略する。
押圧健康器具１０Ｂは、実施例１と同構造の二瘤ローラ１２を使用している。３本の二瘤ローラ１２を、３対の軸受部が設けられた支持体１４Ｂに並列配置した構造である。支持体１４Ｂの構造も基本的に実施例１と同様である。
【００３４】
３本の二瘤ローラ１２は、図示のように側面から見たとき、山なりに配置されている。すなわち、中央部に位置する二瘤ローラ１２を支持体１４Ｂの上面開口２８から最も突出するようにしている。このようにすれば、３本の二瘤ローラ１２がすべて人体４２の湾曲面４４に対して自然に当接する。
【実施例３】
【００３５】
図６は実施例３の押圧健康器具１０Ｃを平面から見た状態を示す斜視図、図７〜図１０は各方向から見た状態を示す斜視図である。図７は図６の左側方から見た図、図８は図６の正面から見た図、図９は図６の背面から見た図、図１０は図６の後方から見た図である。図１に示した部分と共通する部分には同一符号を付して重複説明を省略する。
【００３６】
押圧健康器具１０Ｃは、実施例１と同構造の二瘤ローラ１２を使用しているが、支持体１４Ｃの構造が実施例１と相違している。二瘤ローラ１２の大部分を露出したタイプのものである。
【００３７】
支持体１４Ｃは、一対の側部材３２と、これらの側部材３２を連結する連結部材３４とから構成されている。一対の側部材３２には二瘤ローラ１２の各軸部２０を回転自在に支承する軸受部３３と、重量及び材料軽減用の貫通孔３５とが設けられている。連結部材３４は中央部分がくびれた平板状をなす構造とされ、両端面がビス３７により側部材３２に固定されている。連結部材３４は支持体１４Ｃの底板となる。
【００３８】
押圧健康器具１０Ｃは、二瘤ローラ１２の大部分が露出した、シンプルな構成であり、軽量かつ安価に製作できる。また、大きさの異なる側部材３２を、平板状の連結部材３４と組み合わせることにより、二瘤ローラ１２の高さを使用態様に応じて適度の高さとすることができる。
【実施例４】
【００３９】
図１１は実施例４の押圧健康器具１０Ｄを平面から見た状態を示す斜視図、図１２は図１１の左側方から見た斜視図、図１３は図１１の背面から見た斜視図である。図６に示した部分と共通する部分には同一符号を付して重複説明を省略する。
【００４０】
押圧健康器具１０Ｄは、実施例４と同構造の二瘤ローラ１２を３本使用している。３本の二瘤ローラ１２は支持体１４Ｄに並列配置されている。支持体１４Ｄは、一対の側部材５２と、これらの側部材５２を連結する連結部材５４とから構成されている。
【００４１】
一対の側部材５２には二瘤ローラ１２の各軸部２０を回転自在に支承する軸受部５３が設けられている。連結部材５４は平板状をなす構造とされ、重量及び材料軽減用の貫通孔５５が２つ設けられている。連結部材５４の両端面はビス５７により側部材５２に固定されている。連結部材５４は支持体１４Ｄの底板となる。
【図面の簡単な説明】
【００４２】
【図１】実施例１の押圧健康器具を示す正面図。
【図２】図１のＡＡ線に沿う横断面図。
【図３】同押圧健康器具の側面図。
【図４】同押圧健康器具の使用状態を示す説明図で、（ａ）は押圧健康器具を仰向け状態の人体の首部に当てている状態、（ｂ）は押圧健康器具を同状態の人体の背中に当てている状態をそれぞれ示している。
【図５】実施例２の押圧健康器具を示す正面図。
【図６】実施例３の押圧健康器具を平面から見た状態を示す斜視図。
【図７】図６の押圧健康器具を左側方から見た斜視図。
【図８】図６の押圧健康器具を正面から見た斜視図。
【図９】図６の押圧健康器具を背面から見た斜視図。
【図１０】図６の押圧健康器具を後方から見た斜視図。
【図１１】実施例４の押圧健康器具を平面から見た状態を示す斜視図。
【図１２】図１１の押圧健康器具を左側方から見た斜視図。
【図１３】図１１の押圧健康器具を背面から見た斜視図。
【符号の説明】
【００４３】
１２  二瘤ローラ
１４  支持体
１６  中間部
１８  楕円体
２０  軸部
２２  軸受部
２４  包覆体
２６  空洞
２８  開口
３０  最大外径部分
３２  側部材
３３  軸受部
３４  連結部材
３６  底面
３８  中央くびれ部分
４０  隆起部
４２  人体
【図１】
0003133819.tif 000003
【図２】
0003133819.tif 000004
【図３】
0003133819.tif 000005
【図４】
0003133819.tif 000006
【図５】
0003133819.tif 000007
【図６】
0003133819.tif 000008
【図７】
0003133819.tif 000009
【図８】
0003133819.tif 000010
【図９】
0003133819.tif 000011
【図１０】
0003133819.tif 000012
【図１１】
0003133819.tif 000013
【図１２】
0003133819.tif 000014
【図１３】
0003133819.tif 000015